(57)【要約】【課題】  多くの機能やデバイスを利用可能にしつつ、携帯電話端末のサイズを小型化することをも満足させることが可能な携帯電話端末を提供する。【解決手段】  端末本体１は、ＣＰＵや通信回路等が実装されたメイン基板、通信アンテナ、バッテリ、操作部１１、アナログ端子１８、アンテナ接続端子１９、デジタル端子２０等を備えている。プラグカバー部３は、アナログ端子３８、デジタル端子４０、拡張アンテナ３９、ディスプレイデバイス４１、キー操作デバイス３１等を備えている。端末本体１とプラグカバー部３が接続されると、各端子が接続され、端末本体１はプラグカバー部３を拡張機器として使用する。【選択図】  図１
2011040845.tif 000002
【特許請求の範囲】
【請求項１】
無線通信を行うための通信アンテナと、
前記通信アンテナを介して無線通信を行う通信回路部と、
前記無線通信における発着信をユーザが指示入力するための発着信入力操作部と、
動作電力を発生するバッテリを備えた電源部と、
所定の外部機器との間で電気的に接続するための接続端子部と、
前記接続端子部を介して所定の外部機器と接続されている時、前記通信回路部による無線通信に関連する信号を、前記接続端子部を介して前記所定の外部機器との間で伝達させる信号伝達制御部と、
を有する携帯電話端末。
【請求項２】
前記接続端子部は、前記所定の外部機器との間でアナログ信号を伝達するためのアナログ端子部を有する請求項１記載の携帯電話端末。
【請求項３】
前記所定の外部機器は、前記通信アンテナと電気的に接続されることにより前記無線通信のアンテナ特性を変える拡張アンテナを備えており、
前記接続端子部は、前記通信アンテナと前記所定の外部機器に設けられた拡張アンテナとを電気的に接続するためのアンテナ接続端子を有する請求項２記載の携帯電話端末。
【請求項４】
前記接続端子部は、前記所定の外部機器との間でデジタル信号を伝達するためのデジタル端子部を有する請求項１乃至請求項３のうち何れか一項に記載の携帯電話端末。
【請求項５】
前記所定の外部機器は、前記通信回路部による無線通信の着信をユーザへ報知する着信報知部を備えており、
前記信号伝達制御部は、前記通信回路部が無線通信の着信を受けたとき、当該着信を報知するための着信報知信号を生成し、前記接続端子部のアナログ端子部を介して、前記着信報知信号を前記所定の外部機器へ伝達する請求項２記載の携帯電話端末。
【請求項６】
無線通信を行うための通信アンテナと、前記通信アンテナを介して無線通信を行う通信回路部と、前記無線通信における発着信をユーザが指示入力するための発着信入力操作部と、動作電力を発生するバッテリを備えた電源部と、蓋側装置との間で電気的に接続するための本体側接続端子部と、前記本体側接続端子部を介して前記蓋側装置と接続されている時に、前記通信回路部による無線通信に関連する信号を前記本体側接続端子部を介して前記蓋側装置との間で伝達させる信号伝達制御部とを有する本体側装置と、
前記本体側装置の前記接続端子部と接続される蓋側接続端子部と、前記蓋側接続端子部を介して前記本体側装置と接続されている時に、前記無線通信に関連する信号を前記蓋側接続端子部を介して前記本体側装置との間で伝達する信号伝達部とを有する蓋側装置と、
からなる携帯電話端末。
【請求項７】
前記本体側装置の本体側接続端子部と前記蓋側装置の蓋側接続端子部は、アナログ信号を伝達するためのアナログ端子部を有する請求項６記載の携帯電話端末。
【請求項８】
前記蓋側装置は、前記本体側装置の通信アンテナと電気的に接続されることにより前記無線通信のアンテナ特性を変える拡張アンテナを備えており、
前記本体側装置の本体側接続端子部と前記蓋側装置の蓋側接続端子部は、前記本体側装置の通信アンテナと前記蓋側装置の拡張アンテナとを電気的に接続するためのアンテナ接続端子を有する請求項７記載の携帯電話端末。
【請求項９】
前記本体側装置の本体側接続端子部と前記蓋側装置の蓋側接続端子部は、デジタル信号を伝達するためのデジタル端子部を有する請求項５乃至請求項８のうち何れか一項に記載の携帯電話端末。
【請求項１０】
前記蓋側装置は、前記本体側装置の通信回路部による無線通信の着信をユーザへ報知する着信報知部を備えており、
前記本体側装置の信号伝達制御部は、前記通信回路部が無線通信の着信を受けたとき、当該着信を報知するための着信報知信号を生成し、前記アナログ端子部を介して、前記着信報知信号を前記蓋側装置へ伝達する請求項７記載の携帯電話端末。
【発明の詳細な説明】
【技術分野】
【０００１】
本発明は、音声通話のための通信機能を備えた携帯電話端末に関する。
【背景技術】
【０００２】
最近の携帯電話端末には、音声通話機能などのような基本的な機能だけでなく、音楽，映像を扱うマルチメディア機能などの他の様々な機能が搭載されており、また、いわゆるテンキーなどの基本的な入力操作デバイスの他にも、大型の表示ディスプレイやカメラなどの様々なデバイスが搭載されている。
【０００３】
また、特開２００３−２３３４３７号の公開特許公報（特許文献１）には、携帯電話機の拡張スロットに本体表示部の表示面よりも大きい表示面を有する拡張表示部が設けられた拡張表示装置の拡張スティックを抜差し自在に挿着し、表示対象情報を拡張表示部に表示するようにした技術が開示されている。この特許文献１に記載の技術によれば、表示対象情報の内容として一括で表示できる部分を格段に多くして、当該表示対象情報の内容を確認し易くすることができ、携帯電話機の使い勝手を一段と向上させることが可能となっている。
【先行技術文献】
【特許文献】
【０００４】
【特許文献１】特開２００３−２３３４３７号公報（図２）
【発明の概要】
【発明が解決しようとする課題】
【０００５】
前述したように、最近の携帯電話端末は、多くの機能やデバイスが搭載される傾向にあるが、その一方で、以前から携帯電話端末のサイズをより小型化することについての要望も存在している。
【０００６】
しかしながら、多くの機能やデバイスを搭載することと、端末サイズを小型化することは、相反するものであり、両者を共に満足させるようなことは実現できていない。
【０００７】
本発明は、このような実情に鑑みて提案されたものであり、多くの機能やデバイスを利用可能にしつつ、携帯電話端末のサイズを小型化することをも満足させることが可能な携帯電話端末を提供することを目的とする。
【課題を解決するための手段】
【０００８】
本発明の携帯電話端末は、無線通信用の通信アンテナ及び通信回路部と、無線通信の発着信をユーザが指示入力するための発着信入力操作部と、バッテリを備えた電源部と、所定の外部機器との間で電気的に接続するための接続端子部と、接続端子部を介して所定の外部機器と接続されている時に、通信回路部による無線通信に関連する信号を接続端子部を介して所定の外部機器との間で伝達させる信号伝達制御部とを有する。これにより、本発明は上述した課題を解決する。
【０００９】
また、本発明の携帯電話端末は、本体側装置と蓋側装置とからなる。本体側装置は、無線通信用の通信アンテナ及び通信回路部と、無線通信の発着信をユーザが指示するための発着信入力操作部と、バッテリを備えた電源部と、蓋側装置との間で電気的に接続するための本体側接続端子部と、本体側接続端子部を介して蓋側装置と接続されている時に、通信回路部による無線通信に関連する信号を本体側接続端子部を介して蓋側装置との間で伝達させる信号伝達制御部とを有する。蓋側装置は、本体側接続端子部と接続される蓋側接続端子部と、蓋側接続端子部を介して本体側装置と接続されている時に、無線通信に関連する信号を蓋側接続端子部を介して本体側装置との間で伝達する信号伝達部とを有する。これにより、本発明は上述した課題を解決する。
【００１０】
すなわち本発明によれば、本体側に無線通信のための必要最小限の機能を持たせ、所定の外部機器（蓋側装置）に本体側の拡張機能を持たせており、接続端子部により本体側と蓋側が接続された時に、本体側で拡張機能を利用可能としている。
【発明の効果】
【００１１】
本発明の携帯電話端末は、無線通信用の通信アンテナ及び通信回路部と、発着信の指示入力用の発着信入力操作部と、電源部と、所定の外部機器（蓋側装置）との間で電気的に接続するための接続端子部と、所定の外部機器（蓋側装置）が接続されている時に、無線通信に関連する信号を接続端子部を介して伝達させる信号伝達制御部とを有することで、多くの機能やデバイスが利用可能となり、端末サイズを小型化することも可能になっている。
【図面の簡単な説明】
【００１２】
【図１】本発明実施形態の端末本体とプラグカバー部とからなる携帯電話端末の概略外観斜視図である。
【図２】端末本体が拡張機器となる一具体例の説明に用いる図である。
【図３】端末本体がアナログ端子とアンテナ接続端子を備え、プラグカバー部も同様にアナログ端子とアンテナ接続端子を備えているとした場合の内部構成例を示すブロック図である。
【図４】端末本体がアナログ端子とアンテナ接続端子とデジタル端子を備え、プラグカバー部も同様にアナログ端子とアンテナ接続端子とデジタル端子を備えているとした場合の内部構成例を示す図である。
【図５】プラグカバー部が拡張機器、端末本体側が拡張機器の何れにもなり得る場合の内部構成例を示すブロック図である。
【図６】端末本体とプラグカバー部が接続されて構成された二つの携帯電話端末同士が携帯電話網を通じて通信可能となされている状態を示す図である。
【図７】端末本体が送信用の通信アンテナと受信用の通信アンテナを備え、プラグカバー部も同様に送信用の通信アンテナと受信用の通信アンテナを備えている場合の、本実施形態の端末本体とプラグカバー部の主要部の構成を示すブロック図である。
【図８】図７の構成における送信時のフローチャートである。
【図９】図７の構成における受信時のフローチャートである。
【発明を実施するための形態】
【００１３】
以下、図面を参照しながら、本発明の一実施形態について説明する。
【００１４】
図１には、本発明実施形態の携帯電話端末の概略外観斜視図を示す。
【００１５】
この図１に示すように、本実施形態の携帯電話端末は、端末本体１とプラグカバー部３とにより構成されている。
【００１６】
端末本体１は、ＣＰＵ（中央処理ユニット）及び携帯電話端末に必須の通信機能を実現するための通信回路が実装されたメイン基板と、前記通信回路が無線通信を行うための通信アンテナと、動作電力を発生するバッテリと、ユーザにより操作されて当該ユーザからの指示入力を取り込むための複数のキーからなる操作部１１とを有している。
【００１７】
本実施形態において、前記操作部１１の各キーは、決定キー１１ａ、発信キー１１ｂ、着信キー１１ｃ、選択（＋）キー１１ｄ、選択（−）キー１１ｅからなる。また本実施形態において、これら各キーは、後述するデジタル端子２０を上側にして端末本体１を正面から見た場合、前記決定キー１１ａが中央に配置され、その決定キー１１ａに対して、上側に選択（＋）キー１１ｄ、下側に選択（−）キー１１ｅ、左側に発信キー１１ｂ、右側に着信キー１１ｃが配置されている。
【００１８】
また、端末本体１は、本実施形態の携帯電話端末の機能を拡張する際に用いられるアナログ端子１８を備えている。さらに、本実施形態の場合、端末本体１には、他の機能拡張用端子として、アンテナ接続端子１９とデジタル端子２０も設けられている。
【００１９】
当該端末本体１に備えられている前記アナログ端子１８としては、一例として、音声信号の入出力が可能な音声入出力端子や映像信号の入出力が可能な映像入出力端子、例えばバイブレータを振動させるためのバイブレータ駆動信号の出力端子、例えばＬＥＤ（発光ダイオード）等を発光させるためのＬＥＤ駆動信号の出力端子などを挙げることができる。前記アンテナ接続端子１９は、例えば端末本体１の通信アンテナの感度を高めるための拡張アンテナへ接続することなどのために設けられている。前記デジタル端子２０としては、例えばいわゆるＵＳＢ（Universal Serial Bus）端子などを挙げることができ、特に本実施形態の場合は、広く普及しているいわゆるＵＳＢ  Ａ端子を備えている。なお、これら各端子は一例であり、端末本体１は、その他の端子や、さらに多くの各種端子を備えていても良い。
【００２０】
一方、プラグカバー部３は、前記端末本体１の前記アナログ端子１８やアンテナ接続端子１９，デジタル端子２０等が外部に露出している状態になることを防ぐための蓋としての機能を有する。
【００２１】
また本実施形態において、プラグカバー部３は、それら各端子に適宜接続されて信号の入出力を行うことにより、前記端末本体１の機能を拡張する拡張機器としての機能を備えている。なおそれとは逆に、プラグカバー部３は、前記端末本体１が当該プラグカバー部３の機能を拡張する拡張機器として接続されるものであってもよい。
【００２２】
すなわち本実施形態において、前記端末本体１とプラグカバー部３とは、端末本体１に対してプラグカバー部３が拡張機器になる場合と、プラグカバー部３に対して端末本体１が拡張機器になる場合の何れの形態をも取り得るようになっている。したがって、何れかが拡張機器側になり、何れかの拡張機能が実現される場合、それら端末本体１とプラグカバー部３にはそれら機能拡張のために使用される端子対が設けられることになる。
【００２３】
ここで、プラグカバー部３が拡張機器となる一具体例として、当該プラグカバー部３に受話用スピーカと送話用マイクロホンが搭載されているような場合には、端末本体１に設けられているアナログ端子１８と、プラグカバー部３に用意されているアナログ端子３８とが接続されることになる。すなわちこの場合のアナログ端子１８，３８は、マイクロホンとスピーカの双方の音声信号を入出力可能となされた音声入出力端子となる。そしてこの場合、端末本体１の通信回路を通じて受信された受話音声信号は、アナログ端子１８，３８を介してプラグカバー部３へ送られて、受話用スピーカから出力されることになる。一方、プラグカバー部３の送話用マイクロホンから入力された送話音声信号は、アナログ端子３８，１８を介して端末本体１へ送られて、通信回路を通じて無線送信されることになる。
【００２４】
また、プラグカバー部３が拡張機器となる他の具体例として、当該プラグカバー部３に着信報知用のスピーカやバイブレータが搭載されているような場合には、端末本体１に設けられているアナログ端子１８とプラグカバー部３に用意されているアナログ端子３８とが接続されることになる。すなわちこの場合のアナログ端子１８，３８は、着信報知音声信号とバイブレータ駆動信号の二つの信号を入出力可能となされた入出力端子となる。なお、アナログ端子は、着信報知音声信号用とバイブレータ駆動信号用とでそれぞれ別々に設けられていてもよい。そしてこの場合、端末本体１において着信が検知されると、その着信報知音声信号やバイブレータ駆動信号がアナログ端子１８，３８を介してプラグカバー部３へ送られ、それにより当該プラグカバー部３の着信報知用スピーカからは着信音が出力され、バイブレータは駆動される。その他にも、プラグカバー部３は、着信報知用スピーカを二つ備えていてもよいし、いわゆるステレオミニジャックを備えていてもよい。この場合、アナログ端子１８，３８は、ステレオの左右チャネルの音声信号を入出力可能な端子となされ、端末本体１からはプラグカバー部３へは、ステレオの左右チャネルの音声信号がプラグカバー部３へ送られることになり、これにより二つの着信報知用スピーカ、或いは、ステレオミニジャックに接続されたステレオイヤホンにより、ステレオの左右チャネルの音声を出力することが可能となる。
【００２５】
また、プラグカバー部３が拡張機器となる他の具体例として、当該プラグカバー部３に端末本体１のアンテナ感度を向上させるための拡張アンテナが搭載されているような場合には、端末本体１に設けられているアンテナ接続端子１９と、プラグカバー部３に用意されているアンテナ接続端子３９とが接続されることになる。そしてこの場合、端末本体１の通信アンテナは、前記アンテナ接続端子１９，３９を介して、プラグカバー部３の拡張アンテナに接続され、これにより端末本体１の通信アンテナの感度の向上が図られる。
【００２６】
前記端末本体１のアンテナ接続端子１９とプラグカバー部３のアンテナ接続端子３９とを接続することによる機能拡張の他の例として、いわゆるＭＩＭＯ（Multiple Input Multiple Output）のように、複数のアンテナを組み合わせてデータ送受信の帯域を広げることで送受信性能を向上させる無線通信技術を利用可能とする構成を挙げることもできる。当該ＭＩＭＯを利用可能とした機能拡張例の詳細な構成等については後述する。
【００２７】
また、プラグカバー部３が拡張機器となる他の具体例として、図１に示すように当該プラグカバー部３にディスプレイデバイス４１が搭載されているような場合には、端末本体１に設けられているデジタル端子２０とプラグカバー部３に用意されているデジタル端子４０とが接続されることになる。すなわちこの場合のデジタル端子２０，４０は、映像信号の入出力端子となる。そしてこの場合、端末本体１にて生成された映像信号は、前記デジタル端子２０，４０を介してプラグカバー部３へ送られ、これによりディスプレイデバイス４１の画面上に映像が表示されることになる。なお、端末本体１とプラグカバー部３は、アナログ映像信号のやり取りを行うことも可能であり、その場合、端末本体１とプラグカバー部３の映像入出力用アナログ端子（１８，３８）が接続され、端末本体１にて生成された映像信号が当該アナログ端子（１８，３８）を介してプラグカバー部３に送られ、これによりディスプレイデバイス４１の画面上に映像が表示されることになる。
【００２８】
また、プラグカバー部３が拡張機器となる他の具体例として、当該プラグカバー部３にテンキー等のキー操作デバイス３１が搭載されているような場合、端末本体１に設けられているデジタル端子２０とプラグカバー部３に用意されているデジタル端子４０とが接続されることになる。すなわちこの場合のデジタル端子２０，４０は、キー操作信号の入出力端子となる。そしてこの場合、プラグカバー部３のキー操作デバイス３１が操作されたことで発生されたキー操作信号は、前記デジタル端子２０，４０を介して端末本体１へ送られ、当該端末本体１では、当該キー操作信号がどのような操作を示すものであるかの認識と、そのキー操作に応じた処理が実行されることになる。
【００２９】
一方、端末本体１側が拡張機器となる一具体例として、例えば図２に示すようにプログラムラブカバー部３としてのデジタルテレビジョン受像機６０に対し、本実施形態の端末本体１（１ａ）が無線通信用の拡張機器として接続されるような場合を挙げることができる。この場合、端末本体１（１ａ）に設けられているデジタル端子２０と、プラグカバー部３としてのデジタルテレビジョン受像機６０のデジタル端子４０とが接続されることになる。この例において、デジタル端子２０，４０は、デジタルテレビジョン受像機６０が端末本体１（１ａ）を通じて無線通信する信号の入出力端子となる。そしてこの場合、テレビジョン受像機６０は、端末本体１（１ａ）が備えている通信機能を利用して、他の機器と無線通信を行う。
【００３０】
またこの図２の例において、デジタルテレビジョン受像機６０が端末本体１（１ａ）を通じて無線通信する相手側機器としては、別の端末本体１（１ｂ）が無線通信用の拡張機器として接続された例えばキーボード６１などを挙げることができる。これら端末本体１ａ，１ｂは、携帯電話通信網を通じて無線接続されてもよいし、両端末本体１ａ，１ｂが備えている例えばブルートゥース（Bluetooth：登録商標）等の近距離無線通信機能により無線接続されてもよい。すなわちこの図２の例の場合、無線通信機能を備えていないキーボード６１とデジタルテレビジョン受像機６０とが、端末本体１ａ，１ｂを通じて相互に無線通信を行えるようになる。
【００３１】
前述の説明では、端末本体１とプラグカバー部３のアナログ端子のみが接続された例やデジタル端子のみが接続された例を挙げたが、それらアナログ端子とデジタル端子の双方がそれぞれ接続されてもよく、その場合はアナログ端子を介した信号入出力とデジタル端子を介した信号入出力を同時に行うことができる。
【００３２】
アナログ端子とデジタル端子の双方が各々接続される場合の一例として、外部からの電源供給が必要となる高出力スピーカがプラグカバー部３に搭載され、その高出力スピーカへの給電と音声信号の供給とを、端末本体１側が行うような構成例を挙げることができる。この構成例の場合、端末本体１は、デジタル端子のＵＳＢ経由で当該プラグカバー部３の高出力スピーカへ給電し、それとともに、アナログ端子経由で音楽等の信号を当該プラグカバー部３のスピーカへ供給する。これにより、前記プラグカバー部３の高出力スピーカは、大音量の音楽等を出力することができるようになる。なお、この例の場合、プラグカバー部３には音声デコード用等のＣＰＵが不要となる。すなわちこの場合、プラグカバー部３の高出力スピーカには、端末本体１側のＣＰＵにてデコードされ、さらにアナログ変換された音声信号が、前記アナログ端子経由で供給される。
【００３３】
また、アナログ端子とデジタル端子の双方が各々接続される場合の他の例として、例えばテレビジョン受像機や、画像表示と音声出力が可能な写真立て型画像表示装置などのような画像音声再生装置を用いて、画像と音声の同時再生を行うような構成例も考えられる。この構成例の場合、テレビジョン受像機や写真立て型画像表示装置のような画像音声再生装置は本発明にかかるプラグカバー部３となり、当該画像音声再生装置にアナログ端子とデジタル端子が備えられている。そしてこの構成例の場合、端末本体１は、写真や動画などの画像データをデジタル端子のＵＳＢ経由で画像音声再生装置へストリーミング送信し、また、音楽や通話音などの音声信号をアナログ端子経由で画像音声再生装置へ送る。
【００３４】
これにより、画像音声再生装置のディスプレイ画面上に画像等を表示しながら、当該画像音声再生装置のスピーカから音楽や通話音を出力するようなことが可能となる。なお、この構成例において、画像データのデコードについては、端末本体１のＣＰＵが行ってもよいが、画像音声再生装置側で行うことも可能である。また、出力音声の音量（ボリューム）については、画像音声再生装置側に搭載されているボリューム変更機能を利用して調整することも可能である。また、前述した画像音声再生装置にて画像を表示しつつ通話音声を出力するようなケースとしては、例えば、或る通信相手先から予め送られてきて端末本体１に保存されている画像データを、当該端末本体１からストリーミングにより画像音声再生装置へ送信して表示させつつ、当該端末本体１と通話回線が接続されている通信相手先からの通話音声を、その端末本体１から画像音声再生装置へ転送してスピーカから出力させるような例を挙げることができる。またこの例において、当該通話音声は、例えば、画像音声再生装置にて表示されている画像の内容について、その通信相手先が説明する際の通話音声などを挙げることができる。この構成例によれば、例えば静止画像や動画像などを見せながら、その画像について説明を加えるような場合に、予め画像データを送っておき、その後、当該画像データを再生表示させながら、通話により当該画像の内容について説明するようなことが可能となる。すなわち例えば、通話中に同時に画像データを送るようにしたとすると、通話時間の最初から最後まで容量の大きい画像データを流し続けなければならなくなり、多額の通信料金が発生し且つ通信網への負荷も大きくなる虞があるのに対し、この構成例の場合は、通話時間の最初から最後まで容量の大きい画像情報を流し続ける必要がなくなるため、通信料金や通信網への負荷を抑えることができる。
【００３５】
［端末本体とプラグカバー部の内部構成例］
図３〜図５には、本実施形態の携帯電話端末を構成する端末本体１とプラグカバー部３の主要部の構成を示す。
【００３６】
図３には、例えば端末本体１がアナログ端子１８とアンテナ接続端子１９を備えており、また、プラグカバー部３も同様にアナログ端子３８とアンテナ接続端子３９を備えているとした場合の構成例を示す。
【００３７】
この図３の例において、端末本体１は、ＣＰＵ１０、操作部１１、メモリ部１２、アナログインターフェース（Ｉ／Ｆ）部１４、通信部１５、電源部１６を備えている。
【００３８】
操作部１１は、前述の図１に示したように、ユーザにより操作されて当該ユーザからの指示入力を取り込むための決定キー１１ａと、発信キー１１ｂと、着信キー１１ｃと、選択（＋）キー１１ｄと、選択（−）キー１１ｅの各キーからなる。また、操作部１１は、それら各キーに対してユーザにより加えられた操作を電気信号に変換するための回路をも備えている。また、前述の図１及びこの図３では図示を省略しているが、当該操作部１１は、選択キー１１ｄ，１１ｅと発信キー１１ｂ，着信キー１１ｃの各々の内部に例えばＬＥＤ（発光ダイオード）等の発光素子を備え、また、それらＬＥＤ等の発光素子を発光駆動させるための回路をも有しているとともに、それらの各キートップ部が半透明な材質により形成されている。これにより、それらの各キー内部の発光素子を発光駆動させた場合、それら発光素子からの光はキートップ側から外部へ出射する。
【００３９】
なお、本実施形態において、前記決定キー１１ａは、主な用途として、音声通話時における終話等の指示入力、音楽再生時における音楽再生や停止等の指示入力、待ち受け状態の時のメニュー画面への移行や電源オフの指示入力、着信時における通話の開始指示の入力などに用いられる。また、選択キー１１ｄ，１１ｅは、主な用途として、通話時や音楽再生時における音量のアップ／ダウンの指示入力、待ち受け状態の時の短縮ダイヤルへの発信やモード切替の指示入力、着信時における保留や転送の指示入力などに用いられる。発信，着信キー１１ｂ，１１ｃは、主な用途として、音楽再生時における次曲への送りや前曲への戻り、早送りや早戻しなどの指示入力、待ち受け状態の時の短縮ダイヤルへの発信やモード切替の指示入力、着信時における保留や転送の指示入力などに用いられる。また本実施形態において、各キー内部に配された発光素子は、例えば音楽再生時には音楽テンポや曲カテゴリなどに応じて順次点滅等したり、着信等があった時には例えばその発信者に応じて予め決められたパターンで点滅するように制御される。なお、これらキーにおける指示入力の割り当てや発光素子の点滅は一例であり、本発明はこれらには限定されない。
【００４０】
アナログＩ／Ｆ部１４は、デジタル信号をアナログ信号に変換し、またアナログ信号をデジタル信号に変換する変換回路と、外部へ出力されるアナログ信号の増幅器、及び、外部から入力されたアナログ信号の増幅器などから構成されている。そして、当該アナログＩ／Ｆ部１４は、前記アナログ端子１８に接続されている。
【００４１】
通信部１５は、無線通信を行うための通信回路であり、通信アンテナ１７が接続されている。また本実施形態において、当該通信部１５と通信アンテナ１７との間の信号線は、アンテナ接続端子１９にも接続されている。
【００４２】
ＣＰＵ１０は、通信部１５における通信の制御や、当該通信部１５を介して音声通話がなされている時の音声信号処理、当該通信部１５を介してデータ通信がなされている場合のデータ処理、その他、端末本体の各部制御や演算等を行う。また、ＣＰＵ１０は、音声通話時に前記アナログＩ／Ｆ部１４を通じてプラグカバー部３との間でやり取りされる音声信号の処理や、前記通信部１５における着信時に前記アナログＩ／Ｆ部１４を通じてプラグカバー部３へ送るバイブレータ駆動信号の生成などをも行う。
【００４３】
電源部１６は、内蔵バッテリと、そのバッテリからの電力を各内部構成へ供給するパワーマネージメント回路とからなる。
【００４４】
メモリ部１２は、様々なプログラムやデータ等を格納する内蔵メモリと、いわゆるＳＩＭ（Subscriber Identity Module）情報等を格納する着脱可能なカード状メモリとからなる。内蔵メモリは、ＲＯＭ（Read Only Memory）とＲＡＭ（Random Access Memory）からなる。ＲＯＭは、ＮＡＮＤ型フラッシュメモリ（NAND-type flash memory）或いはＥＥＰＲＯＭ（Electrically Erasable Programmable Read-Only Memory）のような書き換え可能なＲＯＭからなり、例えばＯＳ（Operating System）プログラム、ＣＰＵ１０が各部を制御するための制御プログラム、様々なアプリケーションプログラム、各種の初期設定値、辞書データ、着信音等の音データ、バイブレータの振動パターンデータなどを格納している。また、ＲＯＭには、一般的な携帯電話端末で使用される様々なデータ等も格納されている。ＲＡＭは、ＣＰＵ１０が各種のデータ処理を行う際の作業領域として随時データを格納する。また、本実施形態の場合、ＲＡＭには、例えば写真や動画像などの画像データ、音楽データ、電話帳データ、メールデータ、コンテンツ鍵、ライセンス情報などを一時的に格納させておくようにし、本発明のプラグカバー部としての他の機器が接続された際や、ユーザからの指示があった時に、それらの情報を適宜読み出すようにしてもよい。
【００４５】
なお、図３では図示を省略しているが、端末本体１は、ＧＰＳ（Global Positioning System）衛星電波を用いた現在位置検出部を備えていてもよい。
【００４６】
一方、この図３の例において、プラグカバー部３は、マイクロホン及びスピーカ部４３、バイブレータ４２、拡張アンテナ３７を備えているとする。また、図３に示したプラグカバー部３において、スピーカ及びマイクロホン部４３とバイブレータ４２は、アナログＩ／Ｆ部３４に接続されている。
【００４７】
前記スピーカ及びマイクロホン部４３は、例えば、前述の図１で説明した受話用スピーカ及び送話用マイクロホンや、着信報知用のスピーカに相当する。
【００４８】
前記バイブレータ４２は、前述の図１で説明したバイブレータに相当する。
【００４９】
前記アナログＩ／Ｆ部３４は、端末本体１のものと同様に、デジタル信号をアナログ信号に変換し、またアナログ信号をデジタル信号に変換する変換回路と、外部へ出力されるアナログ信号の増幅器、外部から入力されたアナログ信号の増幅器などから構成されている。当該アナログＩ／Ｆ部３４は、前記アナログ端子３８に接続されている。
【００５０】
そして、前述したような各構成要素を有する端末本体１とプラグカバー部３とが接続された場合、端末本体１のアナログ端子１８と、プラグカバー部３のアナログ端子３８とが接続されることになる。
【００５１】
ここで、例えば端末本体１の通信部１５が着信を受けた場合、当該端末本体１のＣＰＵ１０は、着信時にバイブレータを駆動させる設定がなされている時には、プラグカバー部３のバイブレータを振動させるためのバイブレータ駆動信号を生成し、その信号をアナログＩ／Ｆ部１４へ送る。また、ＣＰＵ１０は、着信時に着信音を出力させる設定がなされている時には、プラグカバー部３のスピーカ及びマイクロホン部４３の着信報知用スピーカから出力させる着信音信号を生成し、その信号をアナログＩ／Ｆ部１４へ送る。これにより、それらの信号は、端末本体１のアナログ端子１８を通じてプラグカバー部３のアナログ端子３８へ送られることになる。
【００５２】
そして、端末本体１からプラグカバー部３へバイブレータ駆動信号が送られてきた場合、その信号はアナログＩ／Ｆ部３４からバイブレータ４２へ送られる。これにより、プラグカバー部３のバイブレータが振動することになり、ユーザへ着信を知らせることができることになる。また、端末本体１からプラグカバー部３へ着信音信号が送られてきた場合、その信号はアナログＩ／Ｆ部３４からスピーカ及びマイクロホン部４３の着信報知用スピーカへ送られる。これにより、プラグカバー部３の着信報知用スピーカから着信音が出力されることになり、ユーザへ着信を知らせることが出来ることになる。
【００５３】
また、図３の構成において、端末本体１の操作部１１が操作されて音声通話が開始された場合、端末本体１のＣＰＵ１０は、通信部１５により受信された受話音声信号について必要な信号処理を実行し、その信号処理後の受話音声信号をアナログＩ／Ｆ部１４へ送る。そして、当該受話音声信号は、端末本体１のアナログ端子１８を通じてプラグカバー部３のアナログ端子３８へ送られ、さらに当該プラグカバー部３のアナログＩ／Ｆ部３４を通じて、スピーカ及びマイクロホン部４３の受話用スピーカへ送られる。これにより、プラグカバー部３の受話用スピーカからは受話音声が出力されることになる。一方、プラグカバー部３のスピーカ及びマイクロホン部４３の送話用マイクロホンから入力した送話音声信号は、アナログＩ／Ｆ部３４を介してアナログ端子３８へ送られ、さらに端末本体１のアナログ端子１８とアナログＩ／Ｆ部１４を介してＣＰＵ１０へ送られる。この時のＣＰＵ１０は、当該送話音声信号に対して必要な信号処理を施した後、通信部１５から送信させる。これにより、プラグカバー部３の送話用マイクロホンから入力された送話音声信号は、通話相手先端末へ無線送信されることになる。
【００５４】
また、図３の構成において、端末本体１とプラグカバー部３とが接続された場合には、端末本体１のアンテナ接続端子１９と、プラグカバー部３のアンテナ接続端子３９とについても接続されることになる。これにより、端末本体１の通信アンテナ１７と、プラグカバー部３の拡張アンテナ３７とは電気的に接続された状態となる。特に本実施形態の場合、プラグカバー部３の拡張アンテナ３７は、端末本体１の通信アンテナ１７に接続されることで、それら通信アンテナ１７及び拡張アンテナ３７からなるアンテナが所望の通信感度を有することになる特性を備えたものとなされている。したがって、この図３の構成によれば、端末本体１の通信アンテナ１７では感度が不十分な場合に、プラグカバー部３の拡張アンテナ３７を接続することにより、良好なアンテナ感度を得ることができる。
【００５５】
次に、図４には、例えば端末本体１がアナログ端子１８とアンテナ接続端子１９の他にデジタル端子２０をも備えており、また、プラグカバー部３も同様にアナログ端子３８とアンテナ接続端子３９の他にデジタル端子４０を備えているとした場合の構成例を示している。なお、図４の各構成要素において、図３と対応する各構成要素には同一の参照符号を付し、それらの詳細な説明については省略する。
【００５６】
この図４の例において、端末本体１は、前述の図３の例と同様のＣＰＵ１０、操作部１１、メモリ部１２、アナログインターフェース（Ｉ／Ｆ）部１４、通信部１５、電源部１６の他に、ＵＳＢ端子であるデジタル端子２０と、ＵＳＢ制御部１３を備えている。
【００５７】
また図４の例の場合、プラグカバー部３は、前述の図３の例と同様のマイクロホン及びスピーカ部４３、バイブレータ４２、拡張アンテナ３７の他に、操作部３１と表示部４１、ＵＳＢ端子であるデジタル端子４０とＵＳＢ制御部３３を備えている。なお、操作部３１は前述の図１に示したキー操作デバイス３１に相当し、表示部４１は図１のディスプレイデバイス４１に相当する。
【００５８】
そして、この図４に示す各構成要素を有する端末本体１とプラグカバー部３とが接続された場合には、図３の例と同様に、アナログ端子１８とアナログ端子３８が接続され、アンテナ接続端子１９とアンテナ接続端子３９が接続されるとともに、ＵＳＢ端子であるデジタル端子２０とデジタル端子４０も接続されることになる。
【００５９】
ここで、この図４の例の場合、端末本体１０のＣＰＵ１０は、前述同様の制御や信号処理の他に、プラグカバー部３の表示部４１へ表示する映像信号を生成する処理も行う。当該ＣＰＵ１０にて生成された映像信号は、ＵＳＢ制御部１３を介してデジタル端子２０へ送られ、さらにプラグカバー部３のデジタル端子４０を介してＵＳＢ制御部３３へ送られる。そして、当該プラグカバー部３のＵＳＢ制御部３３に供給された映像信号は、表示部４１へ送られる。これにより、表示部４１の画面上には映像が表示されることになる。
【００６０】
また、図４の例の場合、プラグカバー部３の操作部３１は、前述の図１に示したキー操作デバイスであり、テンキー等がユーザ等により操作されことで発生したキー操作信号は、ＵＳＢ制御部３３を介してデジタル端子４０へ送られ、さらに端末本体１のデジタル端子２０を介してＵＳＢ制御部１３へ送られる。そして、当該端末本体１のＵＳＢ制御部１３に供給されたキー操作信号は、ＣＰＵ１０へ送られる。これにより、端末本体１のＣＰＵ１０は、プラグカバー部３の操作部３１を介して入力されたユーザからの指示の内容を認識可能となり、そのユーザ指示に応じた処理を実行することになる。
【００６１】
前述した図４の構成例は、端末本体１側にのみＣＰＵが設けられていることで、プラグカバー部３が端末本体１の拡張機器となり、端末本体１のＣＰＵ１０によりプラグカバー部３の各構成要素が制御等されるケースを示している。
【００６２】
これに対し、図５には、プラグカバー部３にもＣＰＵ３０が設けられており、プラグカバー部３が拡張機器になる場合のみならず、端末本体１側が拡張機器にもなり得る構成例を示す。なお、以下の説明では、端末本体１側が拡張機器となった場合について述べることとする。
【００６３】
図５において、端末本体１は、前述の図３，図４と同様の各構成要素を備えている。一方、プラグカバー部３は、図３，図４と同様の各構成要素の他に、ＣＰＵ３０、メモリ部３２を備え、さらには電源部３６をも備えている。
【００６４】
プラグカバー部３のＣＰＵ３０は、当該プラグカバー部３内の各構成要素を制御する。またこの図５の例の場合、プラグカバー部３のＣＰＵ３０は、端末本体１とＵＳＢ接続された際に、ＵＳＢホスト側となり、いわゆるＡＴコマンドを用いて、前記端末本体１に対して各種データの入出力を行う。
【００６５】
プラグカバー部３の電源部３６は、例えば内蔵バッテリ等の内部電源或いは外部電源と、その内部電源或いは外部電源からの電力を、各内部構成へ供給するパワーマネージメント回路とからなる。
【００６６】
プラグカバー部３のメモリ部３２は、様々なプログラムやデータ等を格納する内蔵メモリである。なお、メモリ部３２には、着脱可能な外部メモリが含まれていてもよい。内蔵メモリは、書き換え可能なＲＯＭとＲＡＭからなり、例えばＯＳプログラム、ＣＰＵ３０が各部を制御するための制御プログラム、様々なアプリケーションプログラム、各種の初期設定値などを格納している。ＲＡＭは、ＣＰＵ３０が各種のデータ処理を行う際の作業領域として随時データを格納する。
【００６７】
そして、この図５に示す各構成要素を有する端末本体１とプラグカバー部３とが接続された場合には、図４の例と同様に、アナログ端子１８とアナログ端子３８、アンテナ接続端子１９とアンテナ接続端子３９、ＵＳＢ端子であるデジタル端子２０とデジタル端子４０とがそれぞれ接続されることになる。
【００６８】
ここで、この図５に示す構成において、端末本体１とプラグカバー部３とが接続されると、端末本体１のＣＰＵ１０は、プラグカバー部３側をＵＳＢのホストとして認識し、スレーブモードとなる。一方、プラグカバー３のＣＰＵ３０は、端末本体１側をＵＳＢのスレーブとして認識する。
【００６９】
これにより、プラグカバー部３側は、例えば前述した図２のテレビジョン受像機６０のように、端末本体１を無線通信用の拡張機器として利用し、当該端末本体１を介して他の機器と無線通信を行うようなことが可能となる。すなわちこの場合、プラグカバー部３のＣＰＵ３０は、例えばＡＴコマンドによりデータを端末本体１側へ送り、端末本体１側では当該データを通信部１５を通じて無線送信する。
【００７０】
また、この図５の例において、プラグカバー部３側は、電源部３６からの電力を、端末本体１側へ供給して、当該端末本体１の電源部１６のバッテリを充電するようなことも可能である。すなわちこの場合、プラグカバー部３のＣＰＵ３０は、電源部３６からの電力を、前記ＵＳＢ接続を通じて端末本体１側へ供給させる。そして、当該ＵＳＢ接続を通じた電力を受け取った端末本体１のＣＰＵ１０は、電源部１６の充電状況を監視しつつ、内蔵バッテリへの充電を制御する。
【００７１】
［ＭＩＭＯの適用例］
次に、前述した端末本体１のアンテナ接続端子１９とプラグカバー部３のアンテナ接続端子３９とを接続することによる機能拡張例として、いわゆるＭＩＭＯのような無線通信技術を利用可能とする例について、図６〜図９を参照しながら説明する。
【００７２】
図６には、端末本体１Ａとプラグカバー部３Ａが接続されて構成された携帯電話端末Ａと、端末本体１Ｂとプラグカバー部３Ｂが接続されて構成された携帯電話端末Ｂとが、携帯電話網７０を通じて通信可能となされている状態を示している。
【００７３】
前記携帯電話端末Ａは、端末本体１Ａのアンテナ接続端子１９Ａとプラグカバー部３Ａのアンテナ接続端子３９Ａとが接続されており、端末本体１Ａの通信アンテナ１７Ａとプラグカバー部３Ａの通信アンテナ３７Ａの両方を用いることで、ＭＩＭＯの無線通信技術を利用可能となされている。なお、端末本体１Ａの無線通信用の構成要素、及び、プラグカバー部３Ａ内の無線通信用の構成要素の具体例については後述する。
【００７４】
同様に、前記携帯電話端末Ｂは、端末本体１Ｂのアンテナ接続端子１９Ｂとプラグカバー部３Ｂのアンテナ接続端子３９Ｂとが接続されており、端末本体１Ｂの通信アンテナ１７Ｂとプラグカバー部３Ｂの通信アンテナ３７Ｂの両方を用いることで、ＭＩＭＯの無線通信技術を利用可能となされている。なお、端末本体１Ｂ内の無線通信用の構成要素、及び、プラグカバー部３Ｂ内の無線通信用の構成要素の具体例については後述する。
【００７５】
携帯電話端末Ａは、携帯電話端末Ｂへ信号を送信する際には、送信データを複数の信号に分配してそれら信号を通信アンテナ１７Ａ，３７Ａから同じ周波数帯域で同時に送信し、一方、携帯電話端末Ｂからの信号を受信した時には、通信アンテナ１７Ａ，３７Ａがそれぞれ受信した信号を合成して受信データを復元する。同様に、携帯電話端末Ｂは、携帯電話端末Ａへ信号を送信する際には、送信データを複数の信号に分割してそれら信号を通信アンテナ１７Ｂ，３７Ｂから同じ周波数帯域で同時に送信し、一方、携帯電話端末Ａからの信号を受信した時には、通信アンテナ１７Ｂ，３７Ｂがそれぞれ受信した信号を合成して受信データを復元する。
【００７６】
この図６の構成によれば、携帯電話端末Ａの複数のアンテナと携帯電話端末Ｂの複数のアンテナとが対向している空間に複数のパス（マルチパス伝搬路）が形成され、そのマルチパス伝搬路がＭＩＭＯ伝送路として使用されることになる。当該ＭＩＭＯ伝送路では、時空間符号化（STC : Space-Time Coding）と時空間復号化（STD : Space-Time Decoding）により、それぞれ独立した系列の信号が混信することなく送受信されることになる。このように、図６の構成では、マルチパス伝搬路の各パスによりＭＩＭＯ伝送路を設定可能となり、アンテナの数に略々比例して伝送容量を増やすことができるようになる。
【００７７】
なお、図６では、端末本体とプラグカバー部ともに通信アンテナがそれぞれ１本だけ設けられた例を挙げているが、端末本体とプラグカバー部がそれぞれ２本以上の複数の通信アンテナを備えていてもよい。
【００７８】
図７には、端末本体１が送信用の通信アンテナ１７Ｔと受信用の通信アンテナ１７Ｒを備え、プラグカバー部３も同様に送信用の通信アンテナ３７Ｔと受信用の通信アンテナ３７Ｒを備えている場合の、本実施形態の端末本体１とプラグカバー部３の主要部の構成を示す。なお、図７の例では、プラグカバー部３が、前述の図３のように、マイクロホン及びスピーカ部４３、バイブレータ４２を備えている例を示している。この図７において、前述の図３と同じ構成要素には同一の指示符号を付し、それらの詳細な説明については省略する。
【００７９】
また、図８と図９には、図７の構成における送信時のフローチャートと受信時のフローチャートを示す。
【００８０】
図７の例において、端末本体１の通信部１５は、送信系の構成要素として、データ分配部２１Ｔと時空間符号化（ＳＴＣ）部２２Ｔと通信アンテナ１７Ｔを有しており、また、受信系の構成要素として、データ合成部２１Ｒと時空間復号（ＳＴＤ）部２２Ｒと通信アンテナ３７Ｒを有している。
【００８１】
当該通信部１５の送信系のデータ分配部２１Ｔは、ＣＰＵ１０から送信データを受け取ると、図８のステップＳ１の処理として、その送信データを複数のデータストリームに分離し、その分離後の各データストリームを時空間符号化部２２Ｔへ送出する。
【００８２】
時空間符号化部２２Ｔは、図８のステップＳ２の処理として、データ分配部２１Ｔから供給された各データストリームに対し、時空間符号化技術により、時間と空間の両方の領域でデータの組み替えを行って並列伝送信号を生成する。
【００８３】
なお、この図７の例のように、送信系のアンテナとして通信アンテナ１７Ｔと通信アンテナ３７Ｔの二つのアンテナを使用する場合、当該時空間符号化部２２Ｔにて生成された並列伝送信号は二つの伝送信号が並列したものとされ、その一方は当該端末本体１の通信アンテナ１７Ｔへ送られ、他方はアンテナ接続端子１９Ｔとアンテナ接続端子３９Ｔを介してプラグカバー部３の通信アンテナ３７へ送られる。これにより、図８のステップＳ３において、端末本体１の通信アンテナ１７Ｔとプラグカバー部３の通信アンテナ３７Ｔからは、前記並列伝送信号が送信されることになる。
【００８４】
一方、図９のステップＳ１１において、端末本体１の通信アンテナ１７Ｒとプラグカバー部３の通信アンテナ３７Ｒにて信号が受信され、それら通信アンテナ１７Ｒにて受信した信号と、アンテナ接続端子３９Ｒ及びアンテナ接続端子１９Ｒを介して送られてきた信号を受け取ると、時空間復号部２２Ｒは、図９のステップＳ１２の処理として、時空間符号化技術とは逆のプロセスの処理を行う時空間復号化技術により、混在したそれら受信信号から干渉成分を除去して信号成分を分離し、個々の受信データストリームを復号する。当該時空間復号部２２Ｒにより復号された各受信データストリームは、データ合成部２１Ｒへ送られる。
【００８５】
データ合成部２１Ｒは、図９のステップＳ１３の処理として、前記時空間復号部２２Ｒにて復号された個々の受信データストリームを合成することにより、受信データを復元し、その受信データをＣＰＵ１０へ送る。
【００８６】
その他、図７では図示していないが、通信部１５は、例えば、状況に応じて端末本体１の通信アンテナを使用せずに、プラグカバー部３の通信アンテナのみを使用して通信を行う場合などにおいてアンテナの経路を切り替えるための切替スイッチを備えていてもよい。
【００８７】
［まとめ］
以上説明したように、本発明実施形態において、端末本体１は、携帯電話端末として必要最低限のＣＰＵ１０、操作部１１、メモリ部１２、アナログインターフェース（Ｉ／Ｆ）部１４、通信部１５、電源部１６のみを備えたものとなされているため、一般的な携帯電話端末に比べて、大幅な小型化を実現可能となっている。
【００８８】
また、本実施形態において、プラグカバー部３は、様々な機能を持った多種多様のものであるため、端末本体１に対して、プラグカバー部３を拡張機器として接続すれば、それらプラグカバー部３が備える機能を端末本体１が利用可能となる。したがって、本実施形態によれば、既存の携帯電話端末の機能に見劣りすることのない拡張性のみならず、それ以上の拡張性を持った携帯電話端末を実現することが可能となる。
【００８９】
なお、プラグカバー部３が備える他の機能としては、前述した例の他にも、例えば、写真画像の撮影のためのディジタルカメラ機能、いわゆるＲＦＩＤ（Radio Frequency-Identification：電波方式認識）や非接触型ＩＣカード等で用いられる非接触通信を行う非接触通信機能、ＬＥＤ（発光ダイオード）などによるライト機能、外部メモリ用スロット、ディジタル放送の受信チューナ及びＡＶコーデック機能、いわゆる歩数計機能、いわゆる骨電動イヤホン機能、各種センサ機能、防犯ブザー機能など様々な機能を挙げることができる。
【００９０】
また、本実施形態においては、端末本体１とプラグカバー部３とをアナログ接続可能となされているため、接続部分の構成を簡素化することも可能である。
【００９１】
また、本実施形態によれば、プラグカバー部３に拡張アンテナ３７を設け、それを端末本体１の通信アンテナ１７と電気的に接続可能となされているため、それらにより感度の良いアンテナを実現可能となっている。
【００９２】
また、本実施形態においては、いわゆるＭＩＭＯのような、複数のアンテナを組み合わせてデータ送受信を行う無線通信技術を利用可能となり、無線通信の帯域を広げることによる送受信性能の向上を実現可能となる。
【００９３】
さらに、本実施形態においては、端末本体１側を拡張機器としても使用可能となり、プラグカバー部３と合わせることで、従来には無い全く新しい形態での利用が可能となる。
【００９４】
その他、前述した実施形態で説明した内容はあくまで一例であり、本発明はこの例に限定されないことは言うまでもない。
【符号の説明】
【００９５】
１…端末本体、３…プラグカバー部、１０…端末本体のＣＰＵ、１１…端末本体の操作部、１２…端末本体のメモリ部、１３…端末本体のＵＳＢ制御部、１４…端末本体のアナログＩ／Ｆ部、１５…通信部、１６…端末本体の電源部、１７…通信アンテナ、１８…端末本体のアナログ端子、１９…端末本体のアンテナ接続端子、２０…端末本体のデジタル端子（ＵＳＢ端子）、３０…プラグカバー部のＣＰＵ、３１…プラグカバー部の操作部（キー操作デバイス）、３２…プラグカバー部のメモリ部、３３…プラグカバー部のＵＳＢ制御部、３４…プラグカバー部のアナログＩ／Ｆ部、３６…プラグカバー部の電源部、３７…拡張アンテナ、３８…端末本体のアナログ端子、３９…プラグカバー部のアンテナ接続端子、４０…プラグカバー部のデジタル端子（ＵＳＢ端子）、４１…表示部（ディスプレイデバイス）、４２…バイブレータ、４３…マイクロホン及びスピーカ部、６０…デジタルテレビジョン受像機、６１…キーボード、７０…携帯電話網
【図１】
2011040845.tif 000003
【図２】
2011040845.tif 000004
【図３】
2011040845.tif 000005
【図４】
2011040845.tif 000006
【図５】
2011040845.tif 000007
【図６】
2011040845.tif 000008
【図７】
2011040845.tif 000009
【図８】
2011040845.tif 000010
【図９】
2011040845.tif 000011